(57)【要約】【課題】  回転多面鏡の回転軸方向に関して光源ユニットの位置決め部材の大型化を抑える。【解決手段】  光源をそれぞれ備える第１、第２光源ユニットと、前記第１、第２光源ユニットの光源から出射されたレーザ光を偏向走査する回転多面鏡と、前記第１光源ユニットが突き当たる第１突当部と、前記第２光源ユニットが突き当たる第２突当部と、を備え、前記第１、第２光源ユニットの位置を決める位置決め部材と、を有し、前記第１、第２光源ユニットは、前記位置決め部材によって位置を決められて前記回転多面鏡の回転軸方向に並んで配置され、前記位置決め部材は、前記回転軸方向に関して前記第１、第２光源ユニットの間に設けられた単一の部材である。【選択図】  図４
2014134781.tif 000002
【特許請求の範囲】
【請求項１】
光源をそれぞれ備える第１、第２光源ユニットと、前記第１、第２光源ユニットの光源から出射されたレーザ光を偏向走査する回転多面鏡と、前記第１光源ユニットが突き当たる第１突当部、及び前記第２光源ユニットが突き当たる第２突当部を備え、前記第１、第２光源ユニットの位置を決める位置決め部材と、を有し、前記第１、第２光源ユニットは、前記位置決め部材によって位置を決められて前記回転多面鏡の回転軸方向に並んで配置された光学走査装置において、
前記位置決め部材は、前記回転軸方向に関して前記第１、第２光源ユニットの間に設けられた単一の部材であることを特徴とする光学走査装置。
【請求項２】
前記第１、第２光源ユニットをそれぞれ前記第１、第２突当部に向かって押圧し、前記位置決め部材に固定する押圧部材を備え、前記押圧部材が前記第１、第２光源ユニットをそれぞれ押圧する方向は、前記回転軸方向に平行で且つ互いに向かい合う方向であることを特徴とする請求項１に記載の光学走査装置。
【請求項３】
前記第１、第２突当部は、前記第１、第２光源ユニットが突き当たることで、前記第１、第２光源ユニットの前記位置決め部材に対する主走査方向及び副走査方向の位置を決めることを特徴とする請求項１又は２に記載の光学走査装置。
【請求項４】
前記第１、第２突当部は前記回転軸方向に関して互いに逆向きのＶ字溝形状であることを特徴とする請求項１乃至３のいずれか一項に記載の光学走査装置。
【請求項５】
光源をそれぞれ備える第３、第４光源ユニットと、前記位置決め部材に設けられた、前記第３光源ユニットが突き当たる第３突当部と、前記第４光源ユニットが突き当たる第４突当部と、を有し、前記第３、第４光源ユニットは、前記位置決め部材によって位置を決められて前記回転多面鏡の回転軸方向に並んで配置され、前記第１突当部と前記第３突当部は主走査方向に並んで配置され、前記第２突当部と前記第４突当部は主走査方向に並んで配置され、前記位置決め部材は、前記回転軸方向に関して前記第３、第４光源ユニットの間に設けられていることを特徴とする請求項１乃至４のいずれか一項に記載の光学走査装置。
【請求項６】
前記位置決め部材は前記回転多面鏡を支持する支持部を備えることを特徴とする請求項１乃至５のいずれか一項に記載の光学走査装置。
【請求項７】
前記位置決め部材は、前記第１突当部の対向部分及び前記第２突当部の対向部分に開放部を備えることを特徴とする請求項１乃至６のいずれか一項に記載の光学走査装置。
【請求項８】
主走査方向に関して、前記開放部の両側でそれぞれ前記位置決め部材に固定された補強部材を備えることを特徴とする請求項７に記載の光学走査装置。
【請求項９】
前記補強部材は、前記第１、第２光源ユニットをそれぞれ前記第１、第２突当部に向かって押圧する押圧部を備えることを特徴とする請求項８に記載の光学走査装置。
【請求項１０】
前記補強部材は、前記位置決め部材を覆うためのカバー部を備えることを特徴とする請求項８又は９に記載の光学走査装置。
【請求項１１】
前記補強部材は、前記第１、第２光源を発光させるための回路を含む基板を備えることを特徴とする請求項８乃至１０のいずれか一項に記載の光学走査装置。
【請求項１２】
前記補強部材は、前記第１、第２光源を発光させるための回路を含む基板を覆う基板カバー部を備えることを特徴とする請求項８乃至１１のいずれか一項に記載の光学走査装置。
【請求項１３】
前記位置決め部材は樹脂製であることを特徴とする請求項１乃至１２のいずれか一項に記載の光学走査装置。
【請求項１４】
前記第１、第２光源ユニットのそれぞれは、独立して発光可能な複数の光源を備えることを特徴とする請求項１乃至１３のいずれか一項に記載の光学走査装置。
【請求項１５】
請求項１乃至１４のいずれか一項に記載の光学走査装置と、前記第１光源ユニットの光源から出射されたレーザ光が照射される感光体と、前記第２光源ユニットの光源から出射されたレーザ光が照射される感光体と、を有し、記録材に画像を形成する画像形成装置。
【請求項１６】
光源をそれぞれ備える第１、第２光源ユニットを突き当てる第１、第２突当部と、前記第１、第２光源ユニットの光源から出射されたレーザ光を偏向走査する回転多面鏡を支持する支持部と、を有する光学箱の製造方法であって、
２つの型の間の流動性を有する成型材料を固化させる工程と、前記成型材料を固化させた後、前記２つの型を前記回転多面鏡の回転軸方向に関して相対的に離す工程と、を有し、前記成形材料を固化される工程で、前記２つの型のうちの一方により、前記第１突当部、及び、前記支持部を成型し、且つ、前記２つの型のうちの他方により、前記第２突当部を成型することを特徴とする光学箱の製造方法。
【請求項１７】
前記第１突当部と前記第２突当部とは前記回転多面鏡の回転軸方向に並んで配置されていることを特徴とする請求項１６に記載の光学箱の製造方法。
【請求項１８】
前記第１、第２光源ユニットが前記光学箱に突き当たった状態で前記第１、第２光源ユニットは前記回転多面鏡の回転軸方向に並んで配置されることを特徴とする請求項１７に記載の光学箱の製造方法。
【請求項１９】
前記光学箱は前記第１、第２光源ユニットの光源から出射されたレーザ光が入射する光学部材を支持する別の支持部を有することを特徴とする請求項１６乃至１８のいずれか一項に記載の光学箱の製造方法。
【請求項２０】
前記成形材料は樹脂材料であることを特徴とする請求項１６乃至１９のいずれか一項に記載の光学箱の製造方法。
【発明の詳細な説明】
【技術分野】
【０００１】
本発明はレーザプリンタやデジタル複写機などの電子写真方式を用いた画像形成装置に用いられる光学走査装置に関するものである。
【背景技術】
【０００２】
電子写真方式の画像形成装置に用いられる光学走査装置として、光学箱に複数の光源ユニットを支持する構成がある。特許文献１には、複数の光源ユニットを回転多面鏡の回転軸方向に並べて配置する際の光源ユニットの位置決め固定方法について開示されている。図１４は特許文献１に開示される光学走査装置の一部の斜視図である。図１４に示すように、光学箱７９の側面にトンネル形状の中空部を形成し、この中空部の内側に複数の光源ユニット７１Ｋ、７１ＭをＺ方向（回転軸方向）に並べて近接配置している。Ｚ方向の位置決めは、光源ユニット７１Ｋは、光学箱７９の位置決め部７９ａに形成された突当部７６Ｋに光源保持部材７２Ｋの円筒形状部を突き当てて行われる。光源ユニット７１Ｍにおいても同様に、光学箱７９の位置決め部７９ｂに形成された突当部７６Ｍと、光源保持部材７２Ｍの円筒形状部を突き当てて行われる。
【０００３】
また、主走査方向（Ｙ方向）の位置決めは、光学箱７９の突当部７５Ｋ、７５Ｍに、光源ユニット７１Ｋ、７１Ｍの光源保持部材７２Ｋ、７２Ｍの円筒形状部を突き当てて行われる。そして、光源保持部材７２Ｋ、７２Ｍをバネ７７で突当部７５Ｋ、７５Ｍ、７６Ｋ、７６Ｍに向かって矢印Ｕ１、Ｕ２方向に押圧することにより、光学箱７９に固定している。
【先行技術文献】
【特許文献】
【０００４】
【特許文献１】特開２００８−２６８２３９
【発明の概要】
【発明が解決しようとする課題】
【０００５】
ここで、それぞれの突当部７６Ｋ、７６Ｍが精度良く位置決めできるよう、光学箱７９の突当部７６Ｋ、７６Ｍが形成された２つの位置決め部７９ａ、７９ｂは、光源ユニット７１Ｋ、７１Ｍが突き当たる力を受けても変形しにくいよう、ある程度の太く強固に形成する必要がある。
【０００６】
しかしながら、回転多面鏡の回転軸方向に関して、光源ユニット７１Ｋ、７１Ｍのそれぞれ外側に位置決め部７９ａ、７９ｂが設けられている。このため、光学箱７９の位置決め部７９ａ、７９ｂをそれなりに強固に形成すると、回転多面鏡の回転軸方向に光学箱７９が大きくなってしまい、光学走査装置、又は、それを備える画像形成装置が大型化してしまう。
【０００７】
そこで本発明は、上記課題に鑑みて、回転多面鏡の回転軸方向に関して光学箱等の光源ユニットの位置決め部が形成された位置決め部材の大型化を抑えることを目的とする。
【課題を解決するための手段】
【０００８】
本発明は、光源をそれぞれ備える第１、第２光源ユニットと、前記第１、第２光源ユニットの光源から出射されたレーザ光を偏向走査する回転多面鏡と、前記第１光源ユニットが突き当たる第１突当部、及び前記第２光源ユニットが突き当たる第２突当部を備え、前記第１、第２光源ユニットの位置を決める位置決め部材と、を有し、前記第１、第２光源ユニットは、前記位置決め部材によって位置を決められて前記回転多面鏡の回転軸方向に並んで配置された光学走査装置において、前記位置決め部材は、前記回転軸方向に関して前記第１、第２光源ユニットの間に設けられた単一の部材であることを特徴とする。
【発明の効果】
【０００９】
本発明によれば、回転多面鏡の回転軸方向に関して光学箱等の光源ユニットの位置決め部材の大型化を抑えることができる。
【図面の簡単な説明】
【００１０】
【図１】光学走査装置の概略斜視図。
【図２】光源ユニットを光学箱に取付けた状態の光源ユニット付近の斜視図。
【図３】光源ユニットを光学箱に取付けた状態の光源ユニットから回転多面鏡までの光路の副走査断面図。
【図４】光源ユニットを光学箱に取付けていない状態の光学箱の斜視図。
【図５】主走査方向と回転軸方向とに直交する方向で光学箱の光源ユニットの位置決め部付近を見た図。
【図６】光学箱の製造時の主走査方向と回転軸方向とに直交する方向で光学箱の光源ユニットの位置決め部付近を見た図。
【図７】光学走査装置の斜視図。
【図８】（ａ）補強部材が無い場合に光学箱に外力がかかった場合の光学箱の変形をシミュレーションした図（ｂ）補強部材が有る場合に光学箱に外力がかかった場合の光学箱の変形をシミュレーションした図。
【図９】カバー部材が取り付けられた光学箱の斜視図。
【図１０】光学箱のレーザ駆動基板が取り付けられた部分近傍の斜視図。
【図１１】光学箱のレーザ駆動基板が取り付けられた部分近傍の斜視図。
【図１２】光学箱のレーザ駆動基板が取り付けられた部分近傍の副走査断面図。
【図１３】（ａ）光学箱の斜視図、（ｂ）光学箱の突当部近傍を光軸方向から見た図。
【図１４】従来の光学走査装置の一部の斜視図。
【図１５】従来の光学箱の金型による成型を説明する副走査断面図
【図１６】画像形成装置の概略断面図。
【発明を実施するための形態】
【００１１】
以下の実施例で本発明の光学走査装置の実施形態について説明する。ただし、この実施例に記載された構成要素の寸法、材質、形状それらの相対配置などは、発明が適用される装置の構成や各種条件により適宜変更されるべきものであり、この本発明の範囲を以下の実施例の形態に限定する趣旨のものではない。また、実施例の説明では、例えば「光源１Ａ、１Ｂ、１Ｃ、１Ｄ」のように同様の構成が複数存在する場合、「光源１」などと代表して示して説明する。
【００１２】
＜実施例１＞
〔画像形成装置１００の全体構成〕
本実施形態はカラーレーザビームプリンタとしての画像形成装置１００であり、まずその全体構成について概説する。図１６は画像形成装置１００の概略断面図である。画像形成装置１００は、主に、４つの感光体である感光ドラム８０（８０ａ、８０ｂ、８０ｃ、８０ｄ）、光学走査装置Ｓ１、中間転写ベルト９０、給送カセット９１、定着部９５、二次転写ローラ９４を備えている。また、画像形成装置１００の各感光ドラム８０の周囲には、各感光ドラム８０に作用するプロセス手段としての帯電ローラ８１（８１ａ、８１ｂ、８１ｃ、８１ｄ）、現像ローラ８２（８２ａ、８２ｂ、８２ｃ、８２ｄ）、及び、一次転写ローラ８３（８３ａ、８３ｂ、８３ｃ、８３ｄ）を備える。
【００１３】
露光手段としての光学走査装置Ｓ１は、各感光ドラム８０の下方に設けられ、各感光ドラム８０へそれぞれ偏向走査したレーザ光１０（１０ａ、１０ｂ、１０ｃ、１０ｄ）を照射する。中間転写ベルト９０は、複数のローラに張架され、各感光ドラム８０の上方で各感光ドラム８０と当接可能に配置されている。中間転写ベルト９０の内側には、各感光ドラム８０に対向して一次転写ローラ８３ａ、８３ｂ、８３ｃ、８３ｄが配設されている。各感光ドラム８０と一次転写ローラ８３ａ、８３ｂ、８３ｃ、８３ｄとでそれぞれ中間転写ベルト９０を挟み、それぞれ一次転写部を形成している。また、中間転写ベルト９０は二次転写ローラ９４と当接して二次転写部を形成している。給送カセット９１は光学走査装置Ｓ１の下方に設けられ、シート（記録材）Ｐを収納している。定着器９５は、シートＰの搬送方向に関して二次転写ローラ９４の下流側に設けられている。
【００１４】
〔画像形成動作〕
シートＰへの画像形成は、感光ドラム８０を回転させながら、以下に説明する工程を実行することにより行われる。感光ドラム８０表面に当接する帯電ローラ８１に帯電バイアス電圧を印加して感光ドラム８０表面を一様に帯電させる（帯電工程）。帯電された感光ドラム上に、光学走査装置Ｓ１から画像データに基づいたレーザ光１０を各感光ドラム８０に照射し、各感光ドラム８０上に画像形成する画像データに対応する静電潜像を形成する（露光工程）。現像ローラ８２に現像バイアス電圧を印加し、感光ドラム８０に形成された静電潜像に現像ローラ８２からトナーを付着させる（現像工程）。これらの工程を経て、感光ドラム８０ａ、８０ｂ、８０ｃ、８０ｄ上にそれぞれＹ、Ｍ、Ｃ、Ｂｋといった異なる色のトナー像が形成される。
【００１５】
一次転写ローラ８３に一次転写バイアス電圧を印加し、各感光ドラム８０上のトナー像を、表面が感光ドラム８０の表面と略等速で移動する中間転写ベルト９０表面上に一次転写させる（一次転写工程）。この一次転写の際、各感光ドラム８０上のトナー像が、中間転写ベルト９０表面上で重なり４色のトナー像が形成されるよう、感光ドラム８０ａ、８０ｂ、８０ｃ、８０ｄの順で順次トナー像が中間転写ベルト９０に転写される。一次転写に工程により得られた４色のトナー像は中間転写ベルト９０表面の移動によって二次転写ローラ９４の位置まで搬送される。
【００１６】
給送カセット９１に収納されたシートＰは、給送ローラ９２によって一枚ずつ搬送される。そして、シートＰは搬送ローラ対９３によって中間転写ベルト９０上の４色のトナー像にタイミングを合わせて中間転写ベルト９０と二次転写ローラ９４との間の二次転写部に搬送される。二次転写ローラ９４に二次転写バイアス電圧を印加し、二次転写部に搬送されたシートＰに、中間転写ベルト９０上の４色のトナー像を二次転写する（二次転写工程）。その後、シートＰを定着器９５内の定着ニップ部へと搬送し、シートＰを加熱及び加圧して、シートＰ上に４色のトナー像を定着させ（定着工程）、排紙ローラ９６によって画像形成装置１００外に排出する。以上の工程によりシートＰ上に４色の画像を形成する。
【００１７】
なお、一次転写工程後に感光ドラム８０表面に残ったトナー、及び、二次転写工程後に中間転写ベルト９０表面に残ったトナーは、それぞれ不図示の清掃手段によって回収される（清掃工程）。
【００１８】
〔光学走査装置Ｓ１〕
次に、レーザ光１０ａ〜１０ｄを出射する光学走査装置Ｓ１について詳しく説明する。図１は、光学走査装置Ｓ１の概略斜視図である。なお、図１では簡単のため後述するカバー部材１６を取り外した状態を示している。光学走査装置Ｓ１は、光源（レーザ半導体）１（１Ａ、１Ｂ、１Ｃ、１Ｄ）、及び、各光源に対応する、光源保持部材２（２Ａ、２Ｂ、２Ｃ、２Ｄ）、コリメータレンズ３、シリンドリカルレンズ４、回転多面鏡５、スキャナモータ６を有する。また、光学走査装置Ｓ１は、回転多面鏡５で反射されたレーザ光１０が透過する走査レンズ７（７Ａ、７Ｂ）、及び、回転多面鏡５で反射されたレーザ光１０を反射するミラーである折り返しミラー８（８Ａ、８Ｂ、８Ｃ）を有する。そして、光学走査装置Ｓ１は、これらの光学部材を収容する樹脂製の筐体である光学箱９を有する。ここで、シリンドリカルレンズ４、スキャナモータ６、走査レンズ７Ａ、７Ｂ、折り返しミラー８Ａ、８Ｂ、８Ｃは、光学箱９に接着剤による接着、弾性部材によるバネ付勢、又は、ネジ締結などの公知の技術によって、光学箱９に対する位置が決まった状態で、光学箱９に支持され固定され、互いの位置が決まっている。つまり、光学箱９は、図１に示すように、回転多面鏡５を位置決め支持する支持部９ａ、走査レンズ７Ａ、７Ｂを位置決め支持する支持部９ｂ、折り返しミラー８Ａ、８Ｂ、８Ｃを位置決め支持する支持部９ｃを備える。光学箱９には、後に詳述する、内部を覆うカバー部材１６（図９参照）が取り付けられる。
【００１９】
光源である半導体レーザ１Ａ、１Ｂ、１Ｃ、１Ｄから出射した（発せられた）レーザ光（１０Ａ、１０Ｂ、１０Ｃ、１０Ｄ（図２、３参照））は、対応するコリメータレンズ３、対応するシリンドリカルレンズ４を透過した後、回転多面鏡５の反射面に集光される。回転多面鏡５は、スキャナモータ６によって回転軸５ａまわりに回転駆動され、入射したレーザ光の反射角度を連続的に変化させ、偏向走査する。半導体レーザ１Ａ、１Ｂから出射したレーザ光は回転多面鏡の同じ反射面で反射され、光源側から見て左側に反射される。半導体レーザ１Ｃ、１Ｄから出射したレーザ光は回転多面鏡の同じ反射面で反射され、光源側から見て右側に反射される。光源側から見て回転軸５ａを中心に、左側には半導体レーザ１Ａ、１Ｂからのレーザ光を偏向走査する第１走査光学系ＹＭを有し、右側には半導体レーザ１Ｃ、１Ｄからのレーザ光を偏向走査する第２走査光学系ＣＫを有する。第１走査光学系ＹＭ、及び、第２走査光学系ＣＫは、それぞれ走査レンズ７Ａ、７Ｂ、及び、折り返しミラー８Ａ、８Ｂ、８Ｃを備える。
【００２０】
第１走査光学系ＹＭは、半導体レーザ１Ａから出射したレーザ光が、第１ｆθレンズ７Ａを通過し、折り返しミラー８Ａに反射された後、第２ｆθレンズ７Ｂを通過し、折り返しミラー８Ｂにより不図示の感光体上に集光、走査して静電潜像を形成する。また、半導体レーザ１Ｂから出射したレーザ光が、第１ｆθレンズ７Ａを通過し、第２ｆθレンズ７Ｂを通過した後、折り返しミラー８Ｃに反射され、感光体上に集光、走査して静電潜像を形成する。
【００２１】
第２走査光学系ＣＫは、半導体レーザ１Ｄから出射したレーザ光が、第１ｆθレンズ７Ａを通過し、折り返しミラー８Ａに反射された後、第２ｆθレンズ７Ｂを通過し、折り返しミラー８Ｂにより不図示の感光体上に集光、走査して静電潜像を形成する。また、半導体レーザ１Ｃから出射したレーザ光が、第１ｆθレンズ７Ａを通過し、第２ｆθレンズ７Ｂを通過した後、折り返しミラー８Ｃに反射され、感光体上に集光、走査して静電潜像を形成する。
【００２２】
〔光源ユニット２１〕
次に、光源ユニットについて、図２、３を用いて説明する。なお、図２は光源ユニット２１を光学箱９に取付けた状態の光源ユニット２１付近の斜視図である。図３は光源ユニット２１を光学箱９に取付けた状態における、光源ユニット２１から回転多面鏡５までの光路の副走査断面図を示す。
【００２３】
本実施形態の光学走査装置は、光源である４つの半導体レーザ１（１Ａ〜１Ｄ）から画像情報に基づいて出射されるレーザ光１０（１０Ａ〜１０Ｄ）は、偏向走査され、各々別の被走査面としての感光ドラム８０表面に照射される。そして、その感光ドラム８０表面上で走査することにより静電潜像を形成する。ここで、回転軸５ａに平行な方向を回転軸方向Ｚとすると、少なくとも光源１から回転多面鏡５までの光路において、光軸方向と回転軸方向Ｚとに直交する方向を主走査方向、光軸方向と主走査方向とに直交する方向を副走査方向とする。
【００２４】
このため、図２に示すように、光源ユニット２１Ａ、２１Ｂ、２１Ｃ、２１Ｄは半導体レーザ１Ａと１Ｂと、および、１Ｃと１Ｄとを回転軸方向Ｚに並べて２段に配置し、半導体レーザ１Ａと１Ｄと、および、１Ｂと１Ｃとを主走査方向に２列に並べて配置する構成となっている。つまり、光源ユニット２１Ａ、２１Ｄと光源ユニット２１Ｂ、２１Ｃとは回転軸方向Ｚに関して互いに離れた位置に配置されている。
【００２５】
なお、便宜上、光源ユニット２１Ａ、２１Ｄを第１の光源ユニット、光源ユニット２１Ｂ、２１Ｃを第２の光源ユニット、光源ユニット２１Ｃを第３の光源ユニット、光源ユニット２１Ｄを第４の光源ユニットと呼ぶ。第１の光源ユニット２１Ａ、第２の光源ユニット２１Ｂは、図１で前述した第１走査光学系ＹＭに用いられるものである。同様に、光学走査装置の第２走査光学系ＣＫにも第１の光源ユニット２１Ｄ、第２の光源ユニット２１Ｃが用いられる。第１の光源ユニット２１Ｄは、主走査方向において第１の光源ユニット２１Ａの隣に配置され、第２の光源ユニット２１Ｃは、主走査方向において第２の光源ユニット２１Ｂの隣に配置される。
【００２６】
図３に示すように、光源ユニット２１Ａ、２１Ｂ、２１Ｃ、２１Ｄは、それぞれ、半導体レーザ１Ａ、１Ｂ、１Ｃ、１Ｄと、コリメータレンズ３Ａ、３Ｂ、３Ｃ、３Ｄと、これらを保持するための光源保持部材２Ａ、２Ｂ、２Ｃ、２Ｄと、を有する。光源保持部材２（２Ａ〜２Ｄ）に対して、半導体レーザ１（１Ａ〜１Ｄ）は圧入されて固定され、コリメータレンズ３（３Ａ〜３Ｄ）は、接着によって固定されている。なお、コリメータレンズ３は、入射するレーザ光束１０を略平行光束に変換するためのレンズである。
【００２７】
光源ユニット２１Ａ、２１Ｂ、２１Ｃ、２１Ｄは、レーザ光束１０Ａ、１０Ｂ、１０Ｃ、１０Ｄを角度θ方向に出射させる。ここで、角度θは、回転多面鏡５の反射面に対する入射角であって、反射面に対して直交する方向（回転軸５ａ方向に直交する方向）に対して成す角度を表している。
【００２８】
〔光源ユニット２１の光学箱９に対する位置決め〕
光学箱９に対する光源ユニット２１の位置決めについて図４、図５を用いて説明する。図４は、光源ユニット２１を光学箱９に取付けられていない状態の光学箱９の斜視図であり、光学箱９の光源ユニット２１が取り付けられる部分の近傍を示す。図５は、主走査方向と回転軸方向Ｚとに直交する方向で光学箱９の第１、第２の光源ユニット２１の位置決め部付近を見た図である。光学箱９は、光学箱９に対する光源ユニット２１の取り付け位置を決める位置決め部３０を備える。位置決め部３０は、光学箱９の本体部分に一体成型された光学箱９の一部分であり、回転軸方向Ｚに関して光源ユニット２１Ａと２１Ｂとの間、及び、光源ユニット２１Ｃと２１Ｄとの間に位置する部分である。
【００２９】
位置決め部３０は、光源ユニット２１Ａ〜Ｄがそれぞれ突き当たる突当部３１Ａ、３１Ｂ、３２Ａ、３２Ｂ、４１Ａ、４１Ｂ、４２Ａ、４２Ｂ、５１Ａ、５１Ｂ、５２Ａ、５２Ｂ、６１Ａ、６１Ｂ、６２Ａ、６２Ｂを備える。そしてこれら突当部３１Ａ〜６２Ｂは全て光学箱９の位置決め部３０に一体成型されている。突当部３１Ａ〜６２Ｂは、光軸方向でみるとＶ字溝形状となっており、回転軸方向Ｚで位置決め部３０から離れるほどその間の間隔が広くなるＶ字溝形状である。また、第１突当部としての突当部３１Ａ、３１Ｂ、３２Ａ、３２Ｂ又は突当部４１Ａ、４１Ｂ、４２Ａ、４２Ｂと、第２突当部としての突当部５１Ａ、５１Ｂ、５２Ａ、５２Ｂ又は突当部６１Ａ、６１Ｂ、６２Ａ、６２Ｂとは回転軸方向Ｚに関して互いに逆向きのＶ字溝形状である。
【００３０】
この位置決め部３０の突当部３１Ａ〜６２Ｂに光源ユニット２１の位置を決めることで、シリンドリカルレンズ４、回転多面鏡５、走査レンズ７、折り返しミラー８等の他の光学部材に対する光源ユニット２１の位置が決まる。つまり、光学箱９は、他の光学部材に対する光源ユニット２１の位置を決める位置決め部を備えた位置決め部材として機能している。つまり、光学箱９は、図１に示すように、他の光学部材である回転多面鏡５、走査レンズ７Ａ、７Ｂ、折り返しミラー８Ａ、８Ｂ、８Ｃを位置決め支持する支持部９ａ、９ｂ、９ｃを備える。
【００３１】
第１光源ユニット２１Ａは、光学箱９の位置決め部３０に設けられた突当部（第１突当部）３１Ａ、３１Ｂ、３２Ａ、３２Ｂに、円筒形状の光源保持部材２Ａを突き当たることで、光学箱９に対する主走査方向、及び、副走査方向の位置が決まる。円筒形状の光源保持部材２Ａの半導体レーザ１Ａ側の突当部３１Ａ、３１Ｂと、コリメータレンズ３Ａ側の突当部３２Ａ、３２Ｂとの距離を長くとることで、突当部３１Ａ、３１Ｂに対する３２Ａ、３２Ｂの相対的な高さズレに対して、敏感度を下げることができ、図３に示したレーザ光束の角度θの角度ズレを小さくすることができる。
【００３２】
同様にもう一つの第１光源ユニット（第３光源ユニット）２１Ｄは、光学箱９に設けられた位置決め部３０に設けられた突当部（第１突当部と同等の第３突当部）４１Ａ、４１Ｂ、４２Ａ、４２Ｂに、円筒形状の光源保持部材２Ｄを突き当たることで、光学箱９に対する主走査方向、及び、副走査方向の置が決まる。円筒形状の光源保持部材２Ｄの半導体レーザ１Ｄ側の突当部４１Ａ、４１Ｂと、コリメータレンズ３Ｄ側の突当部４２Ａ、４２Ｂとの距離を長くすることで、突当部４１Ａ、４１Ｂに対する４２Ａ、４２Ｂの相対的な高さズレに対して、敏感度を下げることができ、図３に示したレーザ光束の角度θの角度ズレを小さくすることができる。
【００３３】
また、第２光源ユニット２１Ｂは、光学箱９に設けられた位置決め部３０に設けられた突当部（第２突当部）５１Ａ、５１Ｂ、５２Ａ、５２Ｂに、円筒形状の光源保持部材２Ｂを突き当たることで、光学箱９に対する主走査方向、及び、副走査方向の位置が決まる。円筒形状の光源保持部材２Ｂの半導体レーザ１Ｂ側の突当部５１Ａ、５１Ｂと、コリメータレンズ３Ｂ側の突当部５２Ａ、５２Ｂとの距離を長くすることで、突当部５１Ａ、５１Ｂに対する５２Ａ、５２Ｂの相対的な高さズレに対して、敏感度を下げることができ、図３に示したレーザ光束の角度θの角度ズレを小さくすることができる。
【００３４】
同様にもう一つの第２光源ユニット（第４光源ユニット）２１Ｃは、光学箱９に設けられた位置決め部３０に設けられた突当部（第２突当部と同等の第４突当部）６１Ａ、６１Ｂ、６２Ａ、６２Ｂに、円筒形状の光源保持部材２Ｃを突き当たることで、光学箱９に対する主走査方向、及び、副走査方向の位置が決まる。円筒形状の光源保持部材２Ｃの半導体レーザ１Ｃ側の突当部６１Ａ、６２Ｂと、コリメータレンズ３Ｃ側の突当部６２Ａ、６２Ｂとの距離を長くすることで、突当部６１Ａ、６１Ｂに対する６２Ａ、６２Ｂの相対的な高さズレに対して、敏感度を下げることができ、図３に示したレーザ光束の角度θの角度ズレを小さくすることができる。
【００３５】
このように、回転軸方向Ｚの両側から第１の光源ユニット２１Ａ又は第１の光源ユニット２１Ｄと、第２の光源ユニット２１Ｂ又は第２光源ユニット２１Ｃとが、位置決め部３０の突当部３１Ａ、３１Ｂ、３２Ａ、３２Ｂ又は突当部４１Ａ、４１Ｂ、４２Ａ、４２Ｂと、突当部５１Ａ、５１Ｂ、５２Ａ、５２Ｂ又は突当部６１Ａ、６１Ｂ、６２Ａ、６２Ｂとにそれぞれ突き当たる。
【００３６】
また、第１の光源ユニット２１Ａと第２の光源ユニット２１Ｂとが、それぞれ回転軸方向Ｚに平行で且つ互いに向かい合う方向で、突当部３１Ａ、３１Ｂ、３２Ａ、３２Ｂ、５１Ａ、５１Ｂ、５２Ａ、５２Ｂに、突き当たる。第１の光源ユニット２１Ｄと第２の光源ユニット２１Ｃとが、それぞれ回転軸方向Ｚに平行で且つ互いに向かい合う方向で、突当部４１Ａ、４１Ｂ、４２Ａ、４２Ｂ、６１Ａ、６１Ｂ、６２Ａ、６２Ｂに突き当たる。
【００３７】
換言すれば、位置決め部３０を回転軸方向Ｚに関して光源ユニット２１Ａ、Ｄと光源ユニット２１Ｂ、Ｃの間に設け、光源ユニット２１Ａ〜Ｄをそれぞれ突き当てる突当部３１Ａ〜６２Ｂを位置決め部３０の回転軸方向両側（Ｚ方向両側）に一体成型した。これにより、回転軸方向Ｚに関して一つの位置決め部３０を設けて光源ユニット２１Ａ〜Ｄの位置を決めることができる。このため、回転軸方向Ｚに関して光源ユニットの外側に２つ位置決め部が必要だった従来構成よりも光学箱９を小型化することができる。
【００３８】
突当部３１Ａ、３１Ｂは、光源ユニット２１Ａの中心軸が求心し易いように、光軸方向でみて略６０°〜８０°程度のＶ字溝として形成するのが良く、光学箱９に一体成型で形成されている。
【００３９】
同様に、突当部３２Ａと３２Ｂ、突当部４１Ａと４１Ｂ、突当部４２Ａと４２Ｂ、突当部５１Ａと５１Ｂ、突当部５２Ａと５２Ｂ、突当部６１Ａと６１Ｂ、突当部６２Ａと６２Ｂも、それぞれの光源ユニット２１Ｄ、２１Ｂ、２１Ｃの中心軸が求心し易いように、光軸方向でみて間に略６０°〜８０°程度のＶ字溝として形成しており、それぞれ光学箱９に一体成型で形成されている。
【００４０】
光学箱９は、回転軸方向Ｚに関して、第１、第２光源ユニットとの間に配置される位置決め部を備える。そして、位置決め部には、突当部３１Ａ、３１Ｂ、３２Ａ、３２Ｂ、５１Ａ、５１Ｂ、５２Ａ、５２Ｂ、突当部４１Ａ、４１Ｂ、４２Ａ、４２Ｂ、６１Ａ、６１Ｂ、６２Ａ、６２Ｂが一体成型されている。
【００４１】
第１、第２の光源ユニット２１Ａ、２１Ｄ、２１Ｂ、２１Ｃは、それぞれ後述する付勢部材によって光学箱９に設けられた対応する突当部３１Ａ〜６２Ｂに向かって押圧され、光学箱９に対し位置決めされた状態で固定される。光源ユニット２１Ａ、２１Ｄ、２１Ｂ、２１Ｃの光学箱９に対する光軸方向の位置決めは、光源保持部材２Ａ、２Ｄ、２Ｂ、２Ｃを、光学箱９に設けた突当部１１Ａ、１１Ｄ、１１Ｂ、１１Ｃに光軸方向で突き当たることで決まる。そして、半導体レーザ１Ａ、１Ｂ、１Ｃ、１Ｄは、それぞれ独立して発光させることが可能な光源（発光点）を複数備えたマルチレーザであり、各光源ユニット２１（２１Ａ〜２１Ｄ）を光軸回りに回転調整して所望の回転位置（位相）に調整した後、紫外線硬化型の接着剤によって、光源保持部材２（２Ａ〜２Ｄ）を光学箱９に設けた接着部１２（１２Ａ〜１２Ｄ）に固定する。
【００４２】
〔位置決め部の成型方法〕
次に、第１、第２の光源ユニット２１の位置決め部である突当部３１Ａ〜６２Ｂの成型方法について説明するが、まずは、図１４で示した従来構成の成型方法について説明する。
【００４３】
図１４で示した従来構成は、光源ユニット７１Ｋ、７１Ｍの突当部７５Ｋ、７５Ｍ、７６Ｋ、７６Ｍが、光学箱７９の側面に設けた開口部を形成するための縁に設けられている。このため、光学箱９を樹脂成型するための金型が複雑になり、金型の温度の不均一からくる樹脂の収縮不均一が発生するなど、成型の不安定さが増し、突当部７５Ｋ〜７６Ｍの成型精度が悪化することが懸念されていた。
【００４４】
これについて図１５を用いて説明する。図１５は従来の光学箱の金型による成型を説明する副走査断面図である。通常、光学箱を作る場合は、回転軸方向Ｚに開閉可能な固定側ＣＡ（キャビティ側）と可動側ＣＯ（コア側）という２つの金型を使用する。しかし、光学箱７９は突当部７５Ｌ〜７６Ｍを成型する為、上述の固定側ＣＡと可動側ＣＯに加え、スライド型ＳＣ（スライドコア）が必要になる。スライドコアＳＣは、アンギュラピンＡＰが挿入される穴２０１を有し、キャビティ側ＣＡとコア側ＣＯの回転軸方向Ｚの開閉動作を利用してＬ方向に動くようになっている。なお、スライドコアＳＣは、Ｌ方向に延びた不図示のガイドレールによってガイドされ、Ｌ方向に移動するよう規制されている。しかしながら、スライドコアＳＣがガイドレールに規制されながら可動する構成であるので、スライドコアＳＣとガイドレールとの間に数μｍ〜数十μｍのクリアランス（隙間）が形成される。このため、スライドコアＳＣが正規の位置から若干矢印Ｏ方向に傾くなど、スライドコアＳＣの姿勢が不安定になる場合があった。また、突当部７５Ｋ〜７６Ｍは、スライドコアＳＣが摺動することによって成型されるため、光学箱７９の位置決めするための精度面である突当部７５Ｋ〜７６Ｍにスライド痕等の傷が発生することが懸念される。
【００４５】
このように、突当部７５Ｋ〜７６Ｍは、回転軸方向Ｚに開閉可能な固定側ＣＡと可動側ＣＯではなく、スライドコアＳＣによって成型されるので、上述した理由によって突当部７５Ｋ〜７６Ｍの成型精度の悪化が懸念される。ひいては、光学走査装置における光源ユニット７１Ｋ、７１Ｍの取り付け精度の悪化により、被走査面上に形成される潜像のスポット形状が悪化し、所望の走査を行うことができず、画像形成装置における画像品質の低下を発生させることが懸念される。
【００４６】
次に本実施例における光学箱９の成型方法について説明する。光学箱９の主要本体部分については、図１５で説明した従来構成と同様に、回転軸方向Ｚに開閉する金型のキャビティＣＡとコアＣＯを閉じた状態でその間に流動性を有する成型材料である樹脂を流し入れて固化させて成型する。そして、キャビティＣＡとコアＣＯを開くことで固化した成型材料をキャビティＣＡとコアＣＯから取り外すことで成型が完了する。そして、本実施例では、第１、第２の光源ユニット２１の位置決め部である突当部３１Ａ〜６２Ｂも、スライドコアＳＣを用いることなく、キャビティＣＡとコアＣＯのみで成型可能な構成とした。以下この構成について詳しく説明する。
【００４７】
図５は、上述したように主走査方向と回転軸方向Ｚとに直交する方向で光学箱９の第１、第２の光源ユニット２１の位置決め部付近を見た図である。図６は、光学箱９の製造時の主走査方向と回転軸方向Ｚとに直交する方向で光学箱９の第１、第２の光源ユニット２１の位置決め部付近を見た図である。
本実施例では、光学箱９には、開放部１３１、１４１、１５１、１６１が設けられている。つまり、光源ユニット２１Ａ（図２参照）を中心として、位置決め部３０の反対側（対向する位置）には、光学箱９に一体成型された部分が存在しない開放部１３１が設けられている。同様に、光源ユニット２１Ｂ（図４）を中心として位置決め部３０の反対側（対向する位置）には、光学箱９に一体成型された部分が存在しない開放部１５１が設けられている。同様に、光源ユニット２１Ｃを中心として位置決め部３０の反対側（対向する位置）には、光学箱９に一体成型された部分が存在しない開放部１６１が設けられている。同様に、光源ユニット２１Ｄを中心として位置決め部３０の反対側（対向する位置）には、光学箱９に一体成型された部分が存在しない開放部１４１が設けられている。光学箱９にこのような開放部１３１〜１６１を設けたことにより、図６に示すように、スライドコアＳＣを用いることなく、回転軸方向Ｚで開閉する（回転軸方向Ｚで相対的に近づいたり離れたり移動する）キャビティＣＡとコアＣＯの間に流動性を有する成型材料としての樹脂を流し込み、固化することで、突当部３１Ａ〜６２Ｂが成型可能となる。なお、図６に示すように、コアＣＯにより、突当部３１Ａ、３１Ｂ、３２Ａ、３２Ｂ、４１Ａ、４１Ｂ、４２Ａ、４２Ｂ、及び、支持部９ａ、９ｂ、９ｃ（図１参照）に対応する部分を成型する。キャビティＣＡにより突当部５１Ａ、５１Ｂ、５２Ａ、５２Ｂ、６１Ａ、６１Ｂ、６２Ａ、６２Ｂに対応する部分を成型する。このため、従来構成（スライドコアＳＣを使用する構成）と比べ、突当部３１Ａ〜６２Ｂの成型精度を上げることができる。また、光学箱９を成型するための金型構造を簡単なものとすることができる。
【００４８】
〔光源ユニット２１の固定〕
次に光源ユニット２１の固定方法について、図７を用いて説明する。図７は光学走査装置Ｓ１の斜視図である。光学走査装置Ｓ１は、主走査方向に関して、第１の開放部１３１、１４１、第２の開放部１５１、１６１の両側で光学箱９にビスにより締結固定された補強部材１３Ａ、補強部材１３Ｂを備える。補強部材１３Ａ、１３Ｂは同じ形状である。
【００４９】
補強部材１３Ａ、１３Ｂは、板バネであり、光源ユニット２１を押圧する押圧部１４Ａ、１４Ｂを備えた押圧部材でもある。補強部材１３Ａは、押圧部１４Ａ、１４Ｂによって光源保持部材２Ａを突当部３１Ａ、３１Ｂ、３２Ａ、３２Ｂに、光源保持部材２Ｄを突当部４１Ａ、４１Ｂ、４２Ａ、４２Ｂに向かう方向（回転軸方向Ｚ）に押圧付勢する。同様に補強部材１３Ｂも光源保持部材２Ｂを突当部５１Ａ、５１Ｂ、５２Ａ、５２Ｂに、光源保持部材２Ｃを突当部６１Ａ、６１Ｂ、６２Ａ、６２Ｂに向かって押圧付勢する。これにより光源ユニット２１Ａ、２１Ｂ、２１Ｃ、２１Ｄがそれぞれ光学箱９に対する位置決め及び固定が維持される。また、光源ユニット２１Ａの押圧方向と光源ユニット２１Ｂの押圧方向が反対方向であるので、位置決め部３０が光源ユニット２１Ａ、Ｂから突当部３１Ａ〜３２Ｂ、突当部５１Ａ〜５２Ｂで受ける応力が相殺する。このため、補強部材１３Ａ、１３Ｂからの押圧力によって位置決め部３０が変形しにくくなり、従来構成と比べ位置決め部３０の剛性を落とすことが可能となる。突当部４１Ａ〜４２Ｂと突当部６１Ａ〜６２Ｂとの関係についても同様である。
【００５０】
次に、補強部材１３の有無による位置決め部３０の変形について説明する。図８は、光学箱９に外力がかかった場合の光学箱９の変形をシミュレーションした図であり、変形の度合いを強調して示した図である。（ａ）は補強部材無し場合、（ｂ）は補強部材１３が有る場合を示す。なお、図８では簡単のため補強部材１３は図示していない。この図８（ａ）からもわかるように、補強部材１３が無い場合、光学箱９の位置決め部３０付近の剛性が低く、位置決め部３０が大きく変形しやすい。一方で、図８（ｂ）からもわかるように、補強部材１３が有る場合、光学箱９の位置決め部３０付近の剛性が高くなり、位置決め部３０の変形量が低減される。なお、少なくとも補強部材１３Ａ、１３Ｂのどちらか一方があれば、上述した効果が得られることは言うまでもない。
【００５１】
このように、主走査方向に関して、第１の開放部１３１、１４１、第２の開放部１５１、１６１の両側で光学箱９にビスにより締結固定された補強部材１３Ａ、１３Ｂを設けることで、補強部材１３Ａ、１３Ｂが光学箱９の変形を抑える梁として機能するため、位置決め部３０の変形を抑えることができる。補強部材１３Ａは、第１の開放部１３１、１４１を覆い、補強部材１３Ｂは、第２の開放部１５１、１６１を覆う。また、補強部材１３Ａ、１３Ｂに、光源ユニット２１を突当部３１Ａ〜６２Ｂに向かってそれぞれ押圧する押圧部１４Ａ、１４Ｂを備えることで、補強部材と押圧部を備える付勢部材の２つを別々に設ける必要が無く、小型化や低コスト化に寄与する。また、本実施例では光学箱９の内部を覆うカバー部材１６も補強部材としての機能を有している。これについて図９を用いて説明する。図９は、カバー部材１６が取り付けられた光学箱９の斜視図である。カバー部材１６は、少なくとも主走査方向に関して、第１の開放部１３１、１４１、第２開放部１５１、１６１の両側をビス１７Ａ、１７Ｂにより光学箱９に固定されており、上述した補強部材１３と同様の効果を奏する。
【００５２】
また、本実施例では光源１（１Ａ〜１Ｄ）を駆動させる回路を備えるレーザ駆動基板１９も補強部材としての機能を有している。これについて、図１０を用いて説明する。図１０は、光学箱９のレーザ駆動基板１９が取り付けられた部分近傍の斜視図である。レーザ駆動基板１９は、少なくとも主走査方向に関して、第１の開放部１３１、１４１、第２開放部１５１、１６１の両側をビス２３Ａ、２３Ｂにより光学箱９に固定されており、上述した補強部材１３と同様の効果を奏する。
【００５３】
また、本実施例ではレーザ駆動基板１９を覆う基板カバー部材２５も補強部材としての機能を有している。これについて、図１１、１２を用いて説明する。図１１は、光学箱９のレーザ駆動基板１９が取り付けられた部分近傍の斜視図である。基板カバー部材２５は、少なくとも主走査方向に関して、第１の開放部１３１、１４１、第２開放部１５１、１６１の両側をビス２６Ａ、２６Ｂにより光学箱９に固定されており、上述した補強部材１３と同様の効果を奏する。また、基板カバー部材２５は更に他の機能を有している。図１２は、光学箱９のレーザ駆動基板１９が取り付けられた部分近傍の副走査断面図である。基板カバー部材２５はレーザ駆動基板１９を覆う部分と、光源ユニット２１Ｂ、２１Ｃ側の開放部１５１、１６１を覆う部分を備えた断面Ｌ字形状の部材である。このように、基板カバー部材２５によって光源ユニット２１Ｂ、２１Ｃ側の開放部１５１、１６１を覆うことにより、光学箱９内への塵や埃等の異物の侵入を抑えることができる。なお、光源ユニット２１Ａ、２１Ｄ側の開放部１３１、１４１は前述したカバー部材１６によって覆っており、やはり光学箱９内への塵や埃等の異物の侵入を抑えることができる。
【００５４】
以上説明したように、本実施例では、光源ユニット２１Ａ〜Ｄを突き当てる突当部３１Ａ〜６２Ｂが一体成型された位置決め部３０を回転軸方向Ｚに関して光源ユニット２１Ａ、Ｄと光源ユニット２１Ｂ、Ｃの間に設けた。つまり、１つの位置決め部３０の回転軸方向両側（Ｚ方向両側）に突当部３１Ａ〜６２Ｂを設けた。これに対し、従来構成では回転軸方向で２つの光源ユニットの外側に、それぞれの光源ユニットに対応する合計２つの位置決め部が設けられていた。従って、本実施例のように位置決め部を構成することにより、回転軸方向Ｚに関して位置決め部やそれを備える光学箱、ひいては、光学走査装置又はそれを備える画像形成装置を小型化することができる。
【００５５】
また、本実施例によれば、光源ユニット２１Ａ、Ｄの押圧方向と光源ユニット２１Ｂ、Ｃの押圧方向が反対方向であるので、位置決め部３０が光源ユニット２１から突当部が３１Ａ〜６２Ｂで受ける応力が相殺する。このため、補強部材１３Ａ、１３Ｂからの押圧力によって位置決め部３０が変形しにくくなり、従来構成と比べ位置決め部３０の剛性を落とすことが可能となる。
【００５６】
また、本実施例によれば、回転軸方向Ｚで第１、第２光源ユニットが互いに向かい合う方向で突き当たる突当部を光学箱９に設け、回転軸方向Ｚで突当部に対向する部分を開放部としたことにより、突当部をスライドコア無しに成型することが可能になる。このため、突当部の成型精度を上げることができる。また、光学箱９を成型するための金型構造を簡単なものとすることができる。
【００５７】
＜実施例２＞
次に実施例２について説明する。なお、実施例１と同様の構成については同様の符号を付して説明は省略する。
【００５８】
図１３（ａ）は光学箱１０９の斜視図である。実施例１では４つの光源ユニット２１を１つの光学箱９に位置決めするものだったが、実施例２では２つの光源ユニット２１（２１Ａ、２１Ｂ）を光学箱１０９に位置決めする。このため、光学箱１０９内には回転多面鏡５の片側に１つの走査光学系のみを支持する。図１３（ｂ）は光学箱１０９の突当部３１Ａ、３１Ｂ、３２Ａ、３２Ｂ、５１Ａ、５１Ｂ、５２Ａ、５２Ｂ近傍を光軸方向から見た図である。このように、２つの光源ユニット２１Ａ、２１Ｂを１つの光学箱１０９で位置決めする場合も、位置決め部３０に突当部３１Ａ〜５２Ｂを設けることで、実施例１と同様の効果を得ることができる。
【符号の説明】
【００５９】
１Ａ、１Ｂ、１Ｃ、１Ｄ  光源
２Ａ、２Ｂ、２Ｃ、２Ｄ  光源保持部材
５  回転多面鏡
９  光学箱
３０  位置決め部
２１Ａ、２１Ｄ  第１光源ユニット
２１Ｂ、２１Ｃ  第２光源ユニット
３１Ａ、３１Ｂ、３２Ａ、３２Ｂ  第１突当部
４１Ａ、４１Ｂ、４２Ａ、４２Ｂ  第１突当部
５１Ａ、５１Ｂ、５２Ａ、５２Ｂ  第２突当部
６１Ａ、６１Ｂ、６２Ａ、６２Ｂ  第２突当部
Ｚ  回転軸方向
Ｓ１  光学走査装置
【図１】
2014134781.tif 000003
【図２】
2014134781.tif 000004
【図３】
2014134781.tif 000005
【図４】
2014134781.tif 000006
【図５】
2014134781.tif 000007
【図６】
2014134781.tif 000008
【図７】
2014134781.tif 000009
【図８】
2014134781.tif 000010
【図９】
2014134781.tif 000011
【図１０】
2014134781.tif 000012
【図１１】
2014134781.tif 000013
【図１２】
2014134781.tif 000014
【図１３】
2014134781.tif 000015
【図１４】
2014134781.tif 000016
【図１５】
2014134781.tif 000017
【図１６】
2014134781.tif 000018